(57)【特許請求の範囲】
【請求項１】
ロール状に巻かれた記録紙が設置される記録紙ホルダが設けられたプリンタ本体部と、
前記プリンタ本体部に開閉可能な状態で取り付けられた蓋部と、
前記プリンタ本体部または前記蓋部のうちの一方に取り付けられたプラテンローラと、
前記プリンタ本体部または前記蓋部のうちの他方に取り付けられたプリントヘッドと、
を有し、
前記記録紙ホルダの底面には、前記記録紙ホルダに前記記録紙が設置された状態において、前記記録紙と前記蓋部との間に、回動可能な状態で前記記録紙が前記蓋部側に移動することを規制するアームが取り付けられており、
前記アームは、前記記録紙の外周と接触する接触部を有しており、
前記アームは、前記接触部が前記記録紙に接触する方向に付勢されていることを特徴とするプリンタ装置。
【請求項２】
前記アームは、前記記録紙ホルダに前記記録紙を入れる際に、押し下げられることを特徴とする請求項１に記載のプリンタ装置。
【請求項３】
前記接触部は、前記アームに回転可能な状態で接続され前記記録紙の外周と接触する接触ローラであることを特徴とする請求項１または２に記載のプリンタ装置。
【請求項４】
前記アームには、傾斜部材が取り付けられており、
前記傾斜部材は、前記蓋部の側から前記記録紙ホルダの内部の側に向かって高くなる斜面を有していることを特徴とする請求項３に記載のプリンタ装置。
【請求項５】
前記アームは、前記蓋部の側から前記記録紙ホルダの内部の側に向かって高くなるように、前記記録紙ホルダに接続されていることを特徴とする請求項３に記載のプリンタ装置。
【請求項６】
前記記録紙ホルダの内部には、前記記録紙ホルダに入れられた前記記録紙と接触する搬送補助ローラが設けられていることを特徴とする請求項３から５のいずれかに記載のプリンタ装置。
【請求項７】
ロール状に巻かれた記録紙が設置される記録紙ホルダが設けられたプリンタ本体部と、
前記プリンタ本体部に開閉可能な状態で取り付けられた蓋部と、
前記プリンタ本体部または前記蓋部のうちの一方に取り付けられたプラテンローラと、
前記プリンタ本体部または前記蓋部のうちの他方に取り付けられたプリントヘッドと、
を有し、
前記記録紙ホルダの底面には、回動部材が回転軸を中心に回動可能な状態で取り付けられており、
前記回動部材の一方側には、前記記録紙ホルダに前記記録紙が設置された状態において、前記記録紙と前記蓋部との間に位置するアームを有しており、
前記アームの端には、回転可能な状態で接続され前記記録紙の外周と接触する接触ローラを有しており、
前記回動部材の他方側には、前記記録紙ホルダに前記記録紙が設置された状態において、前記記録紙の外周と接触する搬送補助ローラを有しており、
前記回動部材の前記回転軸は、前記アームと前記搬送補助ローラとの間に位置していることを特徴とするプリンタ装置。
【請求項８】
前記回動部材は、前記記録紙ホルダに前記記録紙を入れる際には、前記回転軸を中心に回動するものであることを特徴とする請求項７に記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙を搬送しながらサーマルヘッド等により記録紙に印字等を行ない、所定の長さまで記録紙を搬送した後、カッターで所定の長さで記録紙が切断される。カッターは、固定刃と可動刃により構成されており、可動刃が固定刃の側にスライドして動くことにより、可動刃と固定刃の間の記録紙を切断することができる。
【０００３】
このようなプリンタ装置は、プリンタ本体部と、プリンタ本体部に回動可能な状態で支持された蓋部が設けられており、この蓋部を開くことによりプリンタ本体部の記録紙ホルダに、ロール状に巻かれた記録紙を入れることができる。
【先行技術文献】
【特許文献】
【０００４】
【特許文献１】特許第２５８５７６９号公報
【特許文献２】特開２００３−２４６１０４号公報
【特許文献３】特開２００９−２８９１０号公報
【特許文献４】特開２００８−１４３００４号公報
【発明の概要】
【発明が解決しようとする課題】
【０００５】
ところで、上述したプリンタ装置は、ロール状に巻かれた記録紙を給紙軸等を用いることなく落とし込み方式により設置することのできる構造のものがある。このような構造のプリンタ装置は、記録紙を簡単に入れることができるため利便性が高い。
【０００６】
このようなプリンタ装置に記録紙を設置する際には、記録紙を記録紙ホルダ内に入れるとともに、記録紙の先端部分をある程度の長さ、例えば、サーマルヘッドとプラテンローラとの間に挟まれる長さ以上に引き出しておくことが必要となる。このように、記録紙の先端を引き出す際に、これに引きずられて、記録紙ホルダ内の記録紙が記録紙ホルダ内より転がり出てしまう場合があり、この場合、再度、記録紙を記録紙ホルダ内に入れる必要があるため、記録紙の設置に手間取り、時間を要する。
【０００７】
このため、記録紙ホルダ内に落とし込み方式により記録紙が設置されるプリンタ装置において、記録紙を記録紙ホルダ内に入れた後に、記録紙の先端部分を引き出しても、記録紙ホルダ内より記録紙が転がり出ることのないプリンタ装置が求められている。
【課題を解決するための手段】
【０００８】
本実施の形態の一観点によれば、ロール状に巻かれた記録紙が設置される記録紙ホルダが設けられたプリンタ本体部と、前記プリンタ本体部に開閉可能な状態で取り付けられた蓋部と、前記プリンタ本体部または前記蓋部のうちの一方に取り付けられたプラテンローラと、前記プリンタ本体部または前記蓋部のうちの他方に取り付けられたプリントヘッドと、を有し、前記記録紙ホルダの底面には、前記記録紙ホルダに前記記録紙が設置された状態において、前記記録紙と前記蓋部との間に、回動可能な状態で前記記録紙が前記蓋部側に移動することを規制するアームが取り付けられており、前記アームは、前記記録紙の外周と接触する接触部を有しており、前記アームは、前記接触部が前記記録紙に接触する方向に付勢されていることを特徴とする。
【発明の効果】
【０００９】
本発明によれば、記録紙ホルダ内に落とし込み方式により記録紙が設置されるプリンタ装置において、記録紙を記録紙ホルダ内に入れた後に、記録紙の先端部分を引き出しても、記録紙ホルダ内より記録紙が転がり出てくることを防ぐことができる。
【図面の簡単な説明】
【００１０】
【図１】プリンタ装置の構造図
【図２】第１の実施の形態におけるプリンタ装置の蓋部が開いている状態の断面図
【図３】第１の実施の形態におけるプリンタ装置の蓋部が閉じている状態の断面図
【図４】第１の実施の形態におけるプリンタ装置に記録紙を入れる過程の説明図
【図５】第１の実施の形態におけるプリンタ装置の説明図
【図６】図５の要部拡大図
【図７】第２の実施の形態におけるプリンタ装置の蓋部が開いている状態の断面図
【図８】第２の実施の形態におけるプリンタ装置の蓋部が閉じている状態の断面図
【図９】第２の実施の形態におけるプリンタ装置の蓋部が開いている状態の斜視図
【図１０】第２の実施の形態におけるプリンタ装置に記録紙を入れる過程の説明図（１）
【図１１】第２の実施の形態におけるプリンタ装置に記録紙を入れる過程の説明図（２）
【図１２】第２の実施の形態における他のプリンタ装置の蓋部が開いている状態の断面図
【図１３】第２の実施の形態における他のプリンタ装置の蓋部が閉じている状態の断面図
【図１４】第３の実施の形態におけるプリンタ装置の蓋部が開いている状態の断面図
【図１５】第３の実施の形態におけるプリンタ装置の蓋部が閉じている状態の断面図
【図１６】第４の実施の形態におけるプリンタ装置の蓋部が開いている状態の断面図
【図１７】第４の実施の形態におけるプリンタ装置の蓋部が閉じている状態の断面図
【図１８】第４の実施の形態におけるプリンタ装置に記録紙を入れる過程の説明図
【発明を実施するための形態】
【００１１】
本発明を実施するための形態について、以下に説明する。尚、同じ部材等については、同一の符号を付して説明を省略する。
【００１２】
最初に、図１に示されるプリンタ装置において、記録紙ホルダ１１内に落とし込み方式により記録紙１００を入れた後、記録紙１００の先端部分を引き出した際に、記録紙１００が記録紙ホルダ１１内より出てしまう現象について説明する。
【００１３】
図１に示されるプリンタ装置は、プリンタ本体部１０と、プリンタ本体部１０に取り付けられている蓋部２０とを有している。蓋部２０は、不図示の軸を中心に回動可能な状態でプリンタ本体部１０に取り付けられている。
【００１４】
プリンタ本体部１０には、記録紙ホルダ１１、記録紙１００に印字を行なうためのプリントヘッドであるサーマルヘッド３０、固定刃、制御回路基板、モータ等が設けられている。記録紙ホルダ１１の内部は、ロール状に巻かれた記録紙１００が入れられるように形成されている。また、制御回路基板は、図１に示されるプリンタ装置の制御を行なうために設けられており、モータとしては、記録紙１００を搬送するためのモータ、後述する可動刃を駆動するためのモータが搭載されている。蓋部２０には、プラテンローラ４０、可動刃が設けられている。
【００１５】
図１に示されるプリンタ装置においては、ロール状に巻かれた記録紙１００をプリンタ本体部１０における記録紙ホルダ１１内に入れ、蓋部２０を閉じることにより設置される。
【００１６】
図１に示されるプリンタ装置は、サーマルヘッド３０とプラテンローラ４０との間に記録紙１００が挟まれた状態で印字がなされる。即ち、記録紙１００は、プラテンローラ４０が回転することにより搬送され、記録紙１００が搬送されている状態で、サーマルヘッド３０により印字がなされる。
【００１７】
このため、蓋部２０が閉じられた状態、即ち、記録紙に印字が可能な状態においては、記録紙１００の先端部分は、サーマルヘッド３０とプラテンローラ４０との間に挟まれていることが必要となる。従って、記録紙１００を設置する際には、記録紙１００を記録紙ホルダ１１内に入れた後、蓋部２０を閉じる前に、記録紙１００の先端部分１０１を破線矢印Ａに示す方向に、ある程度の長さ引き出しておく必要がある。このように、記録紙１００の先端部分１０１を破線矢印Ａに示す方向に引き出すと、記録紙１００は、破線矢印Ｂに示す方向、即ち、反時計回りに回転し、ロール状に巻かれている記録紙１００は、破線矢印Ｃに示す方向に動き、記録紙ホルダ１１内より蓋部２０側に転がり出てしまう。このように、ロール状に巻かれている記録紙１００が記録紙ホルダ１１内より転がり出てしまうと、上述したように、再度、記録紙１００を記録紙ホルダ１１内に入れる必要があるため、記録紙１００の設置に手間取り、時間を要してしまう。
【００１８】
〔第１の実施の形態〕
次に、第１の実施の形態におけるプリンタ装置について、図２及び図３に基づき説明する。本実施の形態におけるプリンタ装置は、クラムシェルタイプのプリンタ装置とも呼ばれるものであり、ロール状に巻かれた記録紙を落とし込み方式により、記録紙ホルダ内に設置する構造のものである。図２は、本実施の形態におけるプリンタ装置において蓋部が開いている状態の断面図であり、図３は、蓋部が閉じている状態の断面図である。
【００１９】
本実施の形態におけるプリンタ装置は、プリンタ本体部１１０と、プリンタ本体部１１０に取り付けられている蓋部１２０とを有している。蓋部１２０は、不図示の軸を中心に回動可能な状態でプリンタ本体部１１０に取り付けられている。
【００２０】
プリンタ本体部１１０には、記録紙ホルダ１１１、記録紙１００に印字を行なうためのプリントヘッドであるサーマルヘッド１３０、固定刃、制御回路基板、モータ等が設けられている。記録紙ホルダ１１１の内部は、ロール状に巻かれた記録紙１００が入れられるように形成されている。尚、ロール状に巻かれた記録紙１００は感熱紙である。また、制御回路基板は、本実施の形態におけるプリンタ装置の制御を行なうために設けられており、モータとしては、記録紙１００を搬送するためのモータ、後述する可動刃を駆動するためのモータが搭載されている。蓋部１２０には、プラテンローラ１４０、可動刃が設けられている。
【００２１】
本実施の形態におけるプリンタ装置においては、記録紙ホルダ１１１の底面には、アーム１５０が取り付けられている。アーム１５０は、ロール状に巻かれた記録紙１００が記録紙ホルダ１１１内に設置された状態において、記録紙１００と蓋部１２０との間に取り付けられている。アーム１５０は、一方の端部が回転軸１５１を中心に回動可能な状態で、記録紙ホルダ１１１に取り付けられており、蓋部１２０の側となるアーム１５０の他方の端部の近傍には、記録紙ホルダ１１１内において、記録紙１００に向かって出っ張った接触部１５２が形成されている。アーム１５０の接触部１５２は、記録紙ホルダ１１１にロール状に巻かれた記録紙１００が設置されている状態においては、ロール状に巻かれた記録紙１００の外周と接している。アーム１５０の一方の端部の近傍には、バネ１６０が取り付けられており、このバネ１６０の復元力により、アーム１５０の接触部１５２がロール状に巻かれた記録紙１００を上に押している。アーム１５０の接触部１５２の形状は、ロール状に巻かれた記録紙１００と接触するため、曲面等のなだらかな外形で形成されている。
【００２２】
本実施の形態におけるプリンタ装置においては、ロール状に巻かれた記録紙１００をプリンタ本体部１１０における記録紙ホルダ１１１内に入れ、蓋部１２０を閉じることにより設置される。また、プリンタ本体部１１０に設けられた固定刃と蓋部１２０に設けられた可動刃とにより、記録紙１００を切断するためのカッター部が形成される。可動刃が固定刃の設けられている側にスライドして移動することにより、固定刃と可動刃との間に存在している記録紙１００を切断することができる。
【００２３】
本実施の形態におけるプリンタ装置は、サーマルヘッド１３０とプラテンローラ１４０との間に記録紙１００が挟まれた状態で印字がなされる。即ち、記録紙１００は、プラテンローラ１４０が回転することにより搬送され、記録紙１００が搬送されている状態で、サーマルヘッド１３０により印字がなされる。
【００２４】
このため、蓋部１２０が閉じられている状態、即ち、記録紙に印字が可能な状態においては、記録紙１００の先端部分は、サーマルヘッド１３０とプラテンローラ１４０との間に挟まれていることが必要となる。従って、ロール状に巻かれた記録紙１００を記録紙ホルダ１１１内に入れた後、蓋部１２０を閉じる前に、記録紙１００の先端部分１０１を破線矢印Ａに示す方向に、ある程度の長さ引き出しておく必要がある。このように、記録紙１００の先端部分１０１を破線矢印Ａに示す方向に引き出すと、ロール状に巻かれている記録紙１００は、破線矢印Ｂに示す方向、即ち、反時計回りに回転し、ロール状に巻かれている記録紙１００には、破線矢印Ｃに示す方向に力が働く。
【００２５】
しかしながら、本実施の形態におけるプリンタ装置においては、アーム１５０の接触部１５２がロール状に巻かれた記録紙１００の外周と接しているため、アーム１５０の接触部１５２により、ロール状に巻かれた記録紙１００が破線矢印Ｃに示す方向に移動することが規制されており、記録紙１００が蓋部１２０が設けられている側に出てしまうことを防いでいる。アーム１５０の接触部１５２は、バネ１６０による復元力により、記録紙１００の側に押されているため、ロール状に巻かれた記録紙１００に破線矢印Ｃに示される方向の力が加えられても、ロール状に巻かれた記録紙１００が、容易に蓋部１２０が設けられている側に転がり出ることはない。
【００２６】
このように、本実施の形態におけるプリンタ装置においては、ロール状に巻かれた記録紙１００の先端部分１０１を引き出しても、記録紙ホルダ１１１内より、ロール状に巻かれた記録紙１００が、容易に転がり出ることはない。
【００２７】
次に、本実施の形態におけるプリンタ装置において、記録紙ホルダ１１１内に、ロール状に巻かれた記録紙１００を設置する過程について、図４に基づき説明する。本実施の形態におけるプリンタ装置において、ロール状に巻かれた記録紙１００を設置する際には、蓋部１２０を開き、ロール状に巻かれた記録紙１００を蓋部２０が開いている側より記録紙ホルダ１１１内に入れる。即ち、記録紙ホルダ１１１内にロール状に巻かれた記録紙１００を入れる過程は、記録紙１００が、開いている蓋部１２０の端のプラテンローラ１４０が設けられている側の近傍の破線１００ａに示される位置より、プリンタ本体部１１０と蓋部１２０との接続部分の近傍の破線１００ｂで示される位置に移動し、更に、記録紙ホルダ１１１内の実線１００ｃに示される位置に移動することにより入れられる。
【００２８】
このようにロール状に巻かれた記録紙１００を記録紙ホルダ１１１内に入れる過程においては、ロール状に巻かれた記録紙１００は、アーム１５０の接触部１５２と接触し、ロール状に巻かれた記録紙１００の自重等により、アーム１５０の接触部１５２が押され、バネ１６０の復元力に抗して、アーム１５０は回転軸１５１を中心に反時計回りに回動し、アーム１５０の接触部１５２が下に動く。これにより、アーム１５０の接触部１５２の高さが低くなり、ロール状に巻かれた記録紙１００は、容易に記録紙ホルダ１１１内に入れることができる。
【００２９】
また、本実施の形態におけるプリンタ装置においては、図５及び図６に示すように、アーム１５０の一方の端部の近傍には、記録紙ホルダ１１１の第１の端面１１１ａ及び第２の端面１１１ｂと接触するストッパ面１５０ａが設けられていてもよい。尚、図６は、図５における１点鎖線５Ａにより囲まれた領域の拡大図である。
【００３０】
記録紙ホルダ１１１の第１の端面１１１ａは、バネ１６０によりアーム１５０の接触部１５２がロール状に巻かれた記録紙１００を押す力を抑制するために形成されており、実線で示されるように、アーム１５０のストッパ面１５０ａが、記録紙ホルダ１１１の第１の端面１１１ａと接触している状態においては、バネ１６０による復元力が働いていても、これ以上、アーム１５０が回転軸１５１を中心に時計回りに回動することはない。
【００３１】
また、記録紙ホルダ１１１の第２の端面１１１ｂは、ロール状に巻かれた記録紙１００を設置する際に、記録紙１００に押されてアーム１５０の接触部１５２の下がる範囲を制限するために形成されており、破線で示されるように、アーム１５０のストッパ面１５０ａが記録紙ホルダ１１１の第２の端面１１１ｂと接触している状態においては、記録紙１００によりアーム１５０の接触部１５２が押されても、これ以上、アーム１５０が回転軸１５１を中心に反時計回りに回動することはない。
【００３２】
〔第２の実施の形態〕
次に、第２の実施の形態におけるプリンタ装置について、図７から図９に基づき説明する。本実施の形態におけるプリンタ装置は、クラムシェルタイプのプリンタ装置とも呼ばれるものであり、ロール状に巻かれた記録紙を落とし込み方式により、記録紙ホルダ内に設置する構造のものである。図７は、本実施の形態におけるプリンタ装置において蓋部が開いている状態の断面図であり、図８は、蓋部が閉じている状態の断面図である。図９は、本実施の形態におけるプリンタ装置において蓋部が開いている状態の斜視図である。
【００３３】
本実施の形態におけるプリンタ装置においては、記録紙ホルダ１１１の底面には、アーム２５０が取り付けられている。アーム２５０は、ロール状に巻かれた記録紙１００が記録紙ホルダ１１１に設置された状態において、記録紙１００よりも蓋部１２０側に取り付けられている。アーム２５０は、一方の端部が回転軸２５１を中心に回動可能な状態で、記録紙ホルダ１１１に取り付けられており、蓋部１２０の側となるアーム２５０の他方の端部の近傍には、記録紙ホルダ１１１内において、記録紙１００に向かって出っ張った接触ローラ２５２が設けられている。
【００３４】
アーム２５０の接触ローラ２５２は、記録紙ホルダ１１１にロール状に巻かれた記録紙１００が設置されている状態においては、ロール状に巻かれた記録紙１００の外周と接している。アーム２５０の一方の端部の近傍には、バネ２６０が取り付けられており、このバネ２６０の復元力により、アーム２５０の接触ローラ２５２がロール状に巻かれた記録紙１００を上に押している。アーム２５０の接触ローラ２５２は、アーム２５０に回転可能な状態で取り付けられており、ロール状に巻かれた記録紙１００が回転すると、この回転に伴い、ロール状に巻かれた記録紙１００に接触している接触ローラ２５２も回転する。
【００３５】
また、本実施の形態におけるプリンタ装置においては、記録紙ホルダ１１１の底面部分に第１の搬送補助ローラ２７１と第２の搬送補助ローラ２７２が設けられており、ロール状に巻かれた記録紙１００は、第１の搬送補助ローラ２７１及び第２の搬送補助ローラ２７２の上に設置される。
【００３６】
本実施の形態におけるプリンタ装置は、サーマルヘッド１３０とプラテンローラ１４０との間に記録紙１００が挟まれた状態で印字がなされる。即ち、記録紙１００は、プラテンローラ１４０が回転することにより搬送され、記録紙１００が搬送されている状態で、サーマルヘッド１３０により印字がなされる。
【００３７】
このため、蓋部１２０が閉じられている状態、即ち、記録紙に印字が可能な状態においては、記録紙１００の先端部分は、サーマルヘッド１３０とプラテンローラ１４０との間に挟まれていることが必要となる。従って、ロール状に巻かれた記録紙１００を設置する際には、ロール状に巻かれた記録紙１００を記録紙ホルダ１１１内に入れた後、蓋部１２０を閉じる前に、記録紙１００の先端部分１０１を破線矢印Ａに示す方向に、ある程度の長さ引き出しておく必要がある。このように、記録紙１００の先端部分１０１を破線矢印Ａに示す方向に引き出すと、ロール状に巻かれている記録紙１００は、破線矢印Ｂに示す方向、即ち、反時計回りに回転し、ロール状に巻かれている記録紙１００には、破線矢印Ｃに示す方向に力が働く。
【００３８】
しかしながら、本実施の形態におけるプリンタ装置においては、アーム２５０の接触ローラ２５２が、ロール状に巻かれた記録紙１００の外周と接しているため、アーム２５０の接触ローラ２５２により、ロール状に巻かれた記録紙１００が破線矢印Ｃに示す方向に移動することが規制されており、記録紙１００が蓋部１２０が設けられている側に出てしまうことを防いでいる。アーム２５０の接触ローラ２５２は、バネ２６０による復元力により、記録紙１００の側に押されているため、ロール状に巻かれた記録紙１００に破線矢印Ｃに示される方向の力が加えられても、ロール状に巻かれた記録紙１００が、容易に蓋部１２０が設けられている側に転がり出ることはない。
【００３９】
また、本実施の形態におけるプリンタ装置においては、記録紙ホルダ１１１の底面に第１の搬送補助ローラ２７１及び第２の搬送補助ローラ２７２が設けられている。従って、記録紙１００の先端部分１０１を破線矢印Ａに示す方向に引き出し、ロール状に巻かれている記録紙１００は、破線矢印Ｂに示す方向、即ち、反時計回りに回転すると、この回転に伴い、ロール状に巻かれている記録紙１００に接触している第１の搬送補助ローラ２７１及び第２の搬送補助ローラ２７２も回転する。このため、ロール状に巻かれている記録紙１００には、破線矢印Ｃに示す方向に力が働くが、第１の搬送補助ローラ２７１及び第２の搬送補助ローラ２７２が回転することにより、ロール状に巻かれている記録紙１００に働く破線矢印Ｃに示す方向に力が弱められている。
【００４０】
以上のように、本実施の形態におけるプリンタ装置においては、ロール状に巻かれた記録紙１００の先端部分１０１を引き出しても、記録紙ホルダ１１１内より、ロール状に巻かれた記録紙１００が、容易に転がり出ることはない。
【００４１】
次に、本実施の形態におけるプリンタ装置において、記録紙ホルダ１１１内に、ロール状に巻かれた記録紙１００を設置する過程について、図１０に基づき説明する。本実施の形態におけるプリンタ装置において、ロール状に巻かれた記録紙１００を設置する際には、蓋部１２０を開き、ロール状に巻かれた記録紙１００を蓋部２０が開いている側より記録紙ホルダ１１１内に入れる。即ち、記録紙ホルダ１１１内にロール状に巻かれた記録紙１００を入れる過程は、記録紙１００が、開いている蓋部１２０の端のプラテンローラ１４０が設けられている側の近傍の破線１００ａに示される位置より、プリンタ本体部１１０と蓋部１２０との接続部分の近傍の破線１００ｂで示される位置に移動し、更に、記録紙ホルダ１１１内の実線１００ｃに示される位置に移動することにより入れられる。
【００４２】
このようにロール状に巻かれた記録紙１００を記録紙ホルダ１１１内に入れる過程においては、図１１に示されるように、記録紙１００は実線１００ｄに示される位置では、アーム２５０の接触ローラ２５２と接触し、ロール状に巻かれた記録紙１００の自重等により、アーム２５０の接触ローラ２５２が押され、バネ２６０の復元力に抗して、アーム２５０は回転軸２５１を中心に反時計回りに回動し、アーム２５０の接触ローラ２５２が下に動き、アーム２５０の接触ローラ２５２の位置が低くなる。また、接触ローラ２５２は、ロール状に巻かれた記録紙１００が入れられる際に回転する。このため、ロール状に巻かれた記録紙１００は、容易に記録紙ホルダ１１１内に入れることができる。
【００４３】
また、本実施の形態におけるプリンタ装置は、図１２及び図１３に示されるように、アーム２５０に設けられる接触ローラ２５２の軸と同軸に接続されている傾斜部材２５３が設けられているものであってもよい。傾斜部材２５３は、蓋部１２０の側より、アーム２５０に接続されている記録紙ホルダ１１１の内部に向かって徐々に高くなるように形成されている。尚、図１２は、このプリンタ装置において蓋部が開いている状態の断面図であり、図１３は、蓋部が閉じている状態の断面図である。図１２において、ロール状に巻かれた記録紙１００を設置する際に動く接触ローラ２５２及び傾斜部材２５３の状態を破線で示す。
【００４４】
図１２及び図１３に示されるプリンタ装置においては、傾斜部材２５３は、アーム２５０の接触ローラ２５２に、ロール状に巻かれた記録紙１００が乗り上げる際に、乗り上げやすくするために設けられており、蓋部１２０とアーム２５０の接触ローラ２５２との間で斜面を形成している。これにより、ロール状に巻かれた記録紙１００を円滑に記録紙ホルダ１１１内に入れることができる。
【００４５】
尚、上記以外の内容については、第１の実施の形態と同様である。
【００４６】
〔第３の実施の形態〕
次に、第３の実施の形態におけるプリンタ装置について、図１４及び図１５に基づき説明する。本実施の形態におけるプリンタ装置は、第２の実施の形態と同様に、ロール状に巻かれた記録紙を落とし込み方式により、記録紙ホルダ内に設置する構造のものである。図１４は、本実施の形態におけるプリンタ装置において蓋部が開いている状態の断面図であり、図１５は、蓋部が閉じている状態の断面図である。
【００４７】
本実施の形態におけるプリンタ装置においては、記録紙ホルダ１１１の底面には、アーム３５０が取り付けられている。アーム３５０は、蓋部１２０の側の一方の端部が回転軸３５１を中心に回動可能な状態で、プリンタ本体部１１０に取り付けられており、アーム３５０の他方の端部の近傍には、記録紙１００に向かって出っ張った接触ローラ３５２が設けられている。本実施の形態においては、回転軸３５１は接触ローラ３５２よりも蓋部１２０の側に設けられている。
【００４８】
アーム３５０の接触ローラ３５２は、記録紙ホルダ１１１にロール状に巻かれた記録紙１００が設置されている状態においては、ロール状に巻かれた記録紙１００の外周と接している。アーム３５０の一方の端部の近傍には、バネ３６０が取り付けられており、このバネ３６０の復元力により、アーム３５０の接触ローラ３５２はロール状に巻かれた記録紙１００を上に押している。アーム３５０の接触ローラ３５２は、回転可能な状態で取り付けられており、ロール状に巻かれた記録紙１００が回転すると、ロール状に巻かれた記録紙１００に接触している接触ローラ３５２も、この回転に伴い回転する。
【００４９】
また、本実施の形態におけるプリンタ装置においては、第２の実施の形態と同様に、記録紙ホルダ１１１の底面部分に第１の搬送補助ローラ２７１と第２の搬送補助ローラ２７２が設けられており、ロール状に巻かれた記録紙１００は、第１の搬送補助ローラ２７１及び第２の搬送補助ローラ２７２の上に設置される。
【００５０】
本実施の形態におけるプリンタ装置においては、ロール状に巻かれた記録紙１００の外周と接しているアーム３５０の接触ローラ３５２が設けられているため、アーム３５０の接触ローラ３５２により、記録紙１００が蓋部１２０が設けられている側に出てしまうことを防いでいる。アーム３５０の接触ローラ３５２は、バネ３６０による復元力により、記録紙１００の側に押されているため、ロール状に巻かれた記録紙１００が、容易に蓋部１２０が設けられている側に転がり出ることはない。
【００５１】
また、本実施の形態におけるプリンタ装置においては、アーム３５０は、記録紙ホルダ１１１と接続されている蓋部１２０側から、接触ローラ３５２が設けられている記録紙ホルダ１１１の内側に向かって徐々に高くなっている。即ち、アーム３５０は、接触ローラ３５２に、ロール状に巻かれた記録紙１００が乗り上げる際に乗り上げやすいように、斜面が形成されている。これにより、ロール状に巻かれた記録紙１００を円滑に記録紙ホルダ１１１内に設置することができる。図１４において、ロール状に巻かれた記録紙１００を設置する際に動いたアーム３５０及び接触ローラ３５２の状態を破線で示す。
【００５２】
尚、上記以外の内容については、第２の実施の形態と同様である。
【００５３】
〔第４の実施の形態〕
次に、第４の実施の形態におけるプリンタ装置について、図１６及び図１７に基づき説明する。本実施の形態におけるプリンタ装置は、第２の実施の形態と同様に、ロール状に巻かれた記録紙を落とし込み方式により、記録紙ホルダ内に設置する構造のものである。図１６は、本実施の形態におけるプリンタ装置において蓋部が開いている状態の断面図であり、図１７は、蓋部が閉じている状態の断面図である。
【００５４】
本実施の形態におけるプリンタ装置においては、記録紙ホルダ１１１の底面には、アーム４５０、第１の搬送補助ローラ２７１及び第２の搬送補助ローラ２７２を有する回動部材４８０が取り付けられている構造のプリンタ装置である。回動部材４８０は、回転軸４８１を中心に回動可能な状態で、記録紙ホルダ１１１に取り付けられている。
【００５５】
回動部材４８０において、回転軸４８１よりも蓋部１２０側にはアーム４５０が形成されており、アーム４５０の蓋部１２０の側の端部の近傍には、記録紙１００に向かって出っ張った接触ローラ４５２が設けられている。アーム４５０の接触ローラ４５２は、記録紙ホルダ１１１にロール状に巻かれた記録紙１００が設置されている状態においては、ロール状に巻かれた記録紙１００の外周と接している。回転軸４８１の近傍には、バネ４６０が取り付けられており、このバネ４６０の復元力により、アーム４５０の接触ローラ４５２がロール状に巻かれた記録紙１００を上に押している。アーム４５０の接触ローラ４５２は、アーム４５０に回転可能な状態で取り付けられており、ロール状に巻かれた記録紙１００が回転すると、ロール状に巻かれた記録紙１００に接触している接触ローラ４５２も、この回転に伴い回転する。
【００５６】
また、回動部材４８０において、回転軸４８１よりも記録紙ホルダ１１１の内側には、第１の搬送補助ローラ２７１及び第２の搬送補助ローラ２７２が設けられており、ロール状に巻かれた記録紙１００は、第１の搬送補助ローラ２７１及び第２の搬送補助ローラ２７２の上に設置される。
【００５７】
次に、本実施の形態におけるプリンタ装置において、記録紙ホルダ１１１内に、ロール状に巻かれた記録紙１００を設置する過程について、図１８に基づき説明する。本実施の形態におけるプリンタ装置において、ロール状に巻かれた記録紙１００を設置する際には、蓋部１２０を開き、ロール状に巻かれた記録紙１００を蓋部２０が開いている側より入れる。即ち、記録紙ホルダ１１１内にロール状に巻かれた記録紙１００を入れる過程は、記録紙１００が、開いている蓋部１２０の端のプラテンローラ１４０が設けられている側より、記録紙ホルダ１１１内に入れられる。
【００５８】
ロール状に巻かれた記録紙１００を記録紙ホルダ１１１内に入れる過程においては、図１８に示されるように、記録紙１００は実線１００ｅに示される位置では、アーム４５０の接触ローラ４５２と接触し、記録紙１００の自重により、アーム４５０の接触ローラ４５２が押され、バネ４６０の復元力に抗して、アーム４５０は回転軸４８１を中心に反時計回りに回動し、アーム４５０の接触ローラ４５２が下に動き、第１の搬送補助ローラ２７１及び第２の搬送補助ローラ２７２が上がっているが、ロール状に巻かれた記録紙１００を記録紙ホルダ１１１内に入れることにより、バネ４６０の復元力により回動部材４８０が回転軸４８１を中心に時計回りに回動し、図１６に示されるように、アーム４５０が上がり、第１の搬送補助ローラ２７１及び第２の搬送補助ローラ２７２が下がり、ロール状に巻かれた記録紙１００は、記録紙ホルダ１１１内に入る。
【００５９】
本実施の形態におけるプリンタ装置においては、ロール状に巻かれた記録紙１００を記録紙ホルダ１１１内に入れる際には、アーム４５０、第１の搬送補助ローラ２７１及び第２の搬送補助ローラ２７２を有する回動部材４８０が回転軸４８１を中心に回動するため、ロール状に巻かれた記録紙１００は、円滑に記録紙ホルダ１１１内に入れることができる。
【００６０】
また、本実施の形態におけるプリンタ装置においては、ロール状に巻かれた記録紙１００の外周と接しているアーム４５０の接触ローラ４５２が設けられているため、アーム４５０の接触ローラ４５２により、記録紙１００が蓋部１２０が設けられている側に出てしまうことを防いでいる。
【００６１】
尚、上記以外の内容については、第２の実施の形態と同様である。
【００６２】
以上、本発明の実施に係る形態について説明したが、上記内容は、発明の内容を限定するものではない。
【符号の説明】
【００６３】
１００      記録紙
１０１      記録紙の先端部分
１１０      プリンタ本体部
１１１      記録紙ホルダ
１１１ａ    第１の端面
１１１ｂ    第２の端面
１２０      蓋部
１３０      サーマルヘッド
１４０      プラテンローラ
１５０      アーム
１５０ａ    ストッパ面
１５１      回転軸
１５２      接触部
１６０      バネ
【図１】
0006534588.tif 000002
【図２】
0006534588.tif 000003
【図３】
0006534588.tif 000004
【図４】
0006534588.tif 000005
【図５】
0006534588.tif 000006
【図６】
0006534588.tif 000007
【図７】
0006534588.tif 000008
【図８】
0006534588.tif 000009
【図９】
0006534588.tif 000010
【図１０】
0006534588.tif 000011
【図１１】
0006534588.tif 000012
【図１２】
0006534588.tif 000013
【図１３】
0006534588.tif 000014
【図１４】
0006534588.tif 000015
【図１５】
0006534588.tif 000016
【図１６】
0006534588.tif 000017
【図１７】
0006534588.tif 000018
【図１８】
0006534588.tif 000019